(57)【要約】      （修正有）【課題】洗濯物の取りこみを、瞬時におこなえるよう、洗濯バサミを一度に全個開放させることのできる洗濯物干しハンガー。軽い力と簡単な操作ではずすことができ、取り付け洗濯バサミの数や列が制限されない実用的で単純な構造の洗濯物干しハンガーの提供。【解決手段】桟状の部材を平行に配置したフレーム１、２のそれぞれの桟に、洗濯バサミの一片側を桟の同側面側に取り付け、全ての洗濯バサミのつまみ部分は、指先で操作できる長さをその上方に配置する同様の桟状の部材を有する上側フレーム２より突出させた状態とし、上下２枚のフレーム１、２を連結具４で桟と直行する方向にスライド可能な状態で連結し、上下のフレーム１、２をスライドさせることにより、フレーム１、２の桟が固定されていない一片側のつまみ部分を引き寄せ、複数の洗濯バサミが一斉開放し、洗濯バサミ自体のバネ力で復元する、ワンタッチ取り外し洗濯物干しハンガー。【選択図】図１
2007282875.tif 000002
【特許請求の範囲】
【請求項１】
桟状の部材を平行に配置した形状を有するフレームのそれぞれの桟に、洗濯バサミの一片側をその桟の同側面側に取り付け、なおかつ全ての洗濯バサミのつまみ部分は、指先で操作できる長さをその上方に配置する同様の桟状の部材を有する上側フレームより突出させた状態とし、上下２枚のフレームを連結具で桟と直行する方向にスライド可能な状態で連結し、上下のフレームをスライドさせることにより、フレームの桟が固定されていない一片側のつまみ部分を引き寄せる作用をし、複数の洗濯バサミが一斉開放でき、洗濯バサミ自体のバネ力で復元する、ワンタッチ取り外し洗濯物干しハンガー。
【請求項２】
側面図において隣り合う上下フレームの４本の桟で構成される空間に洗濯バサミが可動制限されること無く下側フレームの桟に取り付けられ、上側フレームの２本の桟は、洗濯バサミのつまみ上方部分を挟み込むように近接する間隔とし、スライドさせるための取っ手部分をフレームに有する構造の請求項１に記載のワンタッチ取り外し洗濯物干しハンガー。
【請求項３】
請求項１に記載するように、下側フレームに取り付ける洗濯バサミの一片側は、上下どちらのフレームに固定もしくは一体化しても、対になる固定していない洗濯バサミの一片側に、もう一枚の桟状フレームの力が作用し、洗濯バサミが開放する請求項１及び請求項２に記載のワンタッチ取り外し洗濯物干しハンガー。
【請求項４】
上下フレームのスライドする方向軸の適端所に設けた取っ手部分を、上下フレームのスライドする方向軸の反対方向の端に設けた場合や、フレームのスライドする方向軸の両側に設けた場合でも、洗濯バサミの固定していない一片側に桟状フレームの力が作用し洗濯バサミが開放する請求項１から３に記載のワンタッチ取り外し洗濯物干しハンガー。
【発明の詳細な説明】
【技術分野】
【０００１】
本発明は洗濯バサミをワンタッチで一斉に開放する、きわめて単純な構造の洗濯物干しハンガーに関するものである。
【背景技術】
【０００２】
従来の洗濯物干しハンガーは、乾燥時の取りこみに、揺れ動く多数の洗濯バサミをひとつずつつまみ、はずさねばならず、作業は時間と手間がかかり効率が悪かった。また指先の不自由な身体障害者や高齢者には時間のかかる作業であった。本発明は、実用的で単純な構造をもって洗濯バサミを一斉開放させることを目的とするものである。
【０００３】
既存の発明品においては、［特許文献１］のように複雑な構造や構成部品点数が多く、コスト高なもの。［特許文献２］のように、取り付け洗濯バサミの数や列が制限され、一度の操作で、大量に一斉開放できないもの。［特許文献３］のように、加工が複雑なもの。［特許文献４］のように、機械的で通常の物干しハンガーとは違和感のある形状をしたものや、操作しにくいもの。また、カムやワイヤーを利用し、複雑な構造をしたものなど、通常の洗濯ハンガーと比べ形状に違和感のあるものなど実用的でなかった。本発明は、容易に製品化しやすい単純な構造で製品の耐久性も向上させながら洗濯バサミを一斉開放させることを目的としたものである。
【特許文献１】特開２００５−２４５７６２号公報
【特許文献２】特開２００１−３４７０９８号公報
【特許文献３】実開平４−４４８９４号公報
【特許文献４】実開平１−１５７６８８号公報
【特許文献５】実登３０２８５１３号公報
【発明の開示】
【発明が解決しようとする課題】
【０００４】
構成部品点数が少なく、洗濯バサミの数や列が制限されない実用的単純な構造で耐久性も向上させ、洗濯バサミを同時に複数個開放させることのできる洗濯物干しハンガー。指先に障害のある人や高齢者にも軽い力と簡単な操作で、開放させることができるもの。
【課題を解決するための手段】
【０００５】
桟状の部材を平行に配置した形状を有するフレームのそれぞれの桟に、洗濯バサミの一片側をその桟の同側面側に取り付け、なおかつ全ての洗濯バサミのつまみ部分は、指先で操作できる長さをその上方に配置する同様の桟状の部材を有する上側フレームより突出させた状態とし、上下２枚のフレームを連結具で桟と直行する方向にスライド可能な状態で連結し、上下のフレームをスライドさせることにより、フレームの桟が固定されていない一片側のつまみ部分を引き寄せる作用をし、複数の洗濯バサミが一斉開放でき、洗濯バサミ自体のバネ力で復元する、ワンタッチ取り外し洗濯物干しハンガー。
【０００６】
図２に示す２枚の外枠内に、一定の間隔で平行に配置された桟状の部材を有するフレームを図３のように上下に配置し、図３の４及び図１０の４に示す連結具で上下のフレームの外枠両側端部を桟と直行方向にスライド可能な状態で一体化し、図４及び図９のように、上下のフレームが一双方向にスライドする状態とする。下側フレームには、図５のように、洗濯バサミの一片側のみを、下側桟の同側面側にリベット等で固定もしくはプラスチック樹脂で桟と一体化し、図１及び図３のように実用的な間隔で、洗濯バサミの開放可動方向を同方向になるよう桟に取り付ける。上下のフレーム取っ手部分である図３の1aと2aを握りスライドさせた時、下側桟状フレームに固定していない一片側である図６の６に、上側桟状フレーム図６の２sが洗濯バサミの開放可動方向に引き寄せる作用をし、図７及び図９に示すように洗濯バサミの一片側が引き寄せられ開放する請求項１から４に記載のワンタッチ取り外し洗濯物干しハンガーである。
【０００７】
上記の一定の間隔とは図２の平面図において１sの配置間隔と２sの配置間隔は同一で、図６の側面図において隣り合う上下の１sと２sの４本の桟で構成される空間に洗濯バサミが可動制限されること無く、１sの同側面側に取り付けられ、上側２sの２本は、洗濯バサミのつまみ部分を挟み込むように近接する間隔とする。
【０００８】
上下のフレーム端に設けた取っ手部分は図４の1a及び2aのように、スライドする方向軸端の適所に設けるが、少なくとも引き寄せる操作するために、少なくとも指先が取っ手部分を保持し、引き寄せ可能な構造のワンタッチ取り外し洗濯物干しハンガーである。
【０００９】
フレーム端の取っ手部分、図８の1aと2aを握りスライドさせることにより、図９のように洗濯バサミの一片側図９の６を上側フレームの桟である図９の2aが引き寄せる作用をするが、この時の反発力は、洗濯バサミ自体のバネ力を利用したものである。開放後は前記バネ力で閉状時に復元するがこの時も、フレームに取り付けられたすべての洗濯バサミで同様の動きをする請求項１から請求項４に記載のワンタッチ取り外し洗濯物干しハンガーである。
【００１０】
洗濯バサミを多数個取り付けて、フレームを引く力が大きくなった場合、引く力を低減させる構造として、例えば図１０の４に示す連結具のアの間隔を広げることにより、図６の６の上部に力点が作用することになり、梃子の原理で軽い力で引けるようにする。同様に、上側フレームの桟２sに、図１１のイのような突起物をフレームに設け、図11の６の上部に力点が作用する構造も含む、請求項１から請求項４に記載のワンタッチ取り外し洗濯物干しハンガーである。
【００１１】
開放させる力をさらに軽くする場合、図１２及び図１３に示すように、２枚のフレームのスライドする方向軸の両端側に図14のように取っ手を設けた場合、フレームのスライド時に発生する引く力と押す力を両手を使って利用し、開放させる力をさらに軽減できる請求項４に記載のワンタッチ取り外し洗濯物干しハンガーである。
【発明の効果】
【００１２】
本発明は、通常のワンタッチで開放されないハンガーと比較しても、外観、大きさ、重量もワンタッチで開放しない従来品と違和感なく、部品点数も少なく単純な構造上ハンガーの耐久性も向上させることができるもので、瞬時に全個開放も個別開放もされるので、洗濯物の取りこみ作業時間の効率化が図られる。また、指先の不自由なお年寄りや障害者も、軽い力で楽に取り込みができる。
【発明を実施するための最良の形態】
【００１３】
桟状の部材を平行に配置した形状を有するフレームのそれぞれの桟に、洗濯バサミの一片側をその桟の同側面側に取り付け、なおかつ全ての洗濯バサミのつまみ部分は、指先で操作できる長さをその上方に配置する同様の桟状の部材を有する上側フレームより突出させた状態とし、上下２枚のフレームを連結具で桟と直行する方向にスライド可能な状態で連結し、上下のフレームをスライドさせることにより、フレームの桟が固定されていない一片側のつまみ部分を引き寄せる作用をし、複数の洗濯バサミが一斉開放でき、洗濯バサミ自体のバネ力で復元する、ワンタッチ取り外し洗濯物干しハンガー。
【実施例１】
【００１４】
図２に示す、金属もしくは強化プラスチック類で形成されたフレーム内に一定な間隔で平行に並ぶ桟を有す２枚のフレーム１と２を重ね合わせ、図３のように連結具４を用い、上下のフレームの両側端部を図４のようにフレーム内に平行に並ぶ桟と直行する方向にスライドする状態になるよう一体化し、下側フレーム図５の１には、フレームがスライドする方向性と洗濯バサミが開放する方向性を同方向に合わせて、一対の洗濯バサミの一片側である図５の５をウに示すリベット等で桟状フレーム１sの同側面側に固定もしくはプラスチック樹脂等でフレーム図５の１sと一体成型化し、対になる洗濯バサミの一片側のつまみ部分である図６の６が、上側格子フレーム図６の2sに近接している構造で、図１、図６及び図８のように取り付ける。
【００１５】
上記の一定の間隔とは図２の平面図において１sと２sの間隔は同一で、図６の側面図において隣り合う上下の１sと２sの４本の桟で構成される空間に洗濯バサミが可動制限されること無く１sに取り付けられ、上側２sの２本は、洗濯バサミのつまみ部分を挟み込むように近接する間隔とする。必ずしも均等間隔である必要はなく、図15に示すようなある程度幅を有する桟、または一定の連続性を有する間隔の場合など、上下の形状が違う組み合わせやフレームの中心部に請求項項１から４に記載の要件を満たせば、本発明と同様のワンタッチ取り外し洗濯物干しハンガーとする。
【００１６】
図５の１sに示す桟に取り付ける洗濯バサミは上側フレームがスライドすることにより、対になる一片側つまみ部分である図５の６が上側フレームの桟である図６の２sに引き寄せられるよう開放する方向性を同一方向に合わせた向きで図４及び図９に示すように桟に取り付ける。
【００１７】
図６に示すように洗濯バサミを取り付ける桟は洗濯バサミの側面の角度に合わせ、図６の１sのように若干斜傾していると洗濯バサミが地面に対し垂直に取り付けられる。
【００１８】
図７に示すように洗濯バサミの柄の長さは通常の選択バサミより長くし、少なくとも上側フレーム図７の２よりつまみ部分が突出し確実に引き寄せられ、また洗濯物の取り付け時には指先で通常のように取り付け及び開放操作可能な長さが必要である。
【００１９】
上下の外枠フレームの両側端部分は、図１０の４のような連結具でスライド可能な状態で連結させるが、この時、図１０のアの間隔を広くすることでフレーム1と２の間隔が広がり、上側フレームが洗濯バサミの一片側を引き寄せる作用をする力点が洗濯バサミ６のつまみ上方部分に作用することなり、梃子の原理により軽い力で引ける。
【００２０】
上下２枚のフレームは、金属または強化プラスチック等の材質で、フレームを握りスライドする時の洗濯バサミの反発力に耐え、変形しない強度のあるものとし、必要に応じ桟との直行方向に補強の部材として図２の1c及び2cを入れる。桟に取り付ける洗濯バサミの個数及び間隔は実用的な範囲で変化させることが可能であるが、図１及び図３のようにフレームに取り付ける洗濯バサミは、実際の洗濯物を取り付ける作業に好ましい間隔で取り付ける。
【００２１】
図５に示す、下側フレームの桟に取り付ける洗濯バサミは、図５のウに示すリベット等で固定するか、もしくはプラスチック樹脂製で桟と一体成型とし、引き寄せる反発力に耐える強度のあるものとする。
【００２２】
下側格子状フレームにおいて、洗濯バサミを取り付けていない周囲や空きスペースには、通常の洗濯バサミを、従来の物干しハンガーようにぶら下げ追加することも可能である。
【実施例２】
【００２３】
図１１のようにスライドする方向の両端部分に握りスペースを持たせ、両手を使って、引く力と押す力を利用し、実施例1よりさらに軽い力で、洗濯バサミを開放させることができるものである。洗濯バサミの取り付け方法は、実施例1と同様であるので図面では洗濯バサミを取り付けていない状態のフレームのみの動きを図示する。この場合のフレーム外枠は長方形の形としたが、丸い形のフレームでも中心部に請求項１の要件を満たす、請求項４に記載のワンタッチ取り外し物干しハンガーの例である。
【００２４】
実施例2の場合にも、下側フレームの洗濯バサミを取り付けていない周囲や空きスペースには、従来の洗濯バサミを従来のようにぶら下げ追加することも可能である。
【００２５】
以上、上記実施例で説明したが、下側フレームの桟に洗濯バサミの一片側を取り付け、対になる一片側は固定せず、そのつまみ部分を引き寄せる作用をするフレームを上方に配し、一度のスライド操作ですべての洗濯バサミに開放し、洗濯バサミ自体のバネ力で復元するということを本発明の要件とする、請求項1から４に記載のワンタッチ取り外し洗濯物干しハンガーである。
【産業上の利用可能性】
【００２６】
部品点数の少ない単純な構造なので耐久性も向上し、容易に製品化しやすく、カムやワイヤーを使用する従来の発明品に比較し壊れにくく、耐久性が良い。
【図面の簡単な説明】
【００２７】
【図１】ワンタッチ取り外し洗濯ハンガーの全体の斜視図
【図２】上下フレームの平面図（右が上フレーム、左が下フレーム）
【図３】２枚のフレームを連結具で一体化し、下側桟に洗濯バサミを固定した状態を示す平面図
【図４】２枚のフレームの取っ手部分を握ってスライドした状態のフレームを示した平面図
【図５】洗濯バサミ取り付け部の詳細を示した斜視図
【図６】洗濯バサミが閉じている状態を示した側面詳細図
【図７】洗濯バサミが開いている状態を示した側面詳細図
【図８】洗濯バサミが閉じている状態を示した全体側面図
【図９】洗濯バサミが開いている状態を示した全体側面図
【図１０】上側フレーム外枠と下側フレーム外枠の連結具の形状を示す斜視図
【図１１】フレームを引く力を低減させるために上側フレームに突起状のものをつけて、梃子の原理を利用したフレーム形状の側面図
【図１２】両側に取っ手を設けた場合の２枚のフレーム平面図
【図１３】両側に取っ手を設けた場合の２枚のフレームを重ね合わせ連結した状態を示したフレーム平面図
【図１４】両側に取っ手を設けた上下フレームをスライドした状態を示したフレーム平面図
【図１５】フレーム内の桟の形状及び間隔を変化した例の平面図
【符号の説明】
【００２８】
１  下側フレーム
1a  下側フレーム取っ手部分
1c  下側フレーム補強材
1s  下側フレーム内の桟
２  上側フレーム
2a  上側フレームの取っ手部分
2c  上側フレームの補強材
2s  上側フレーム内の桟
４  上下の格子状フレームをスライド可能な状態で連結する連結具
５  桟に取り付ける側の洗濯バサミの一片側
６  桟に取り付けない洗濯バサミの一片側
７  吊り下げ具
８  吊り下げフック
１１  実施例２の下側フレーム
１１a  実施例２の下側フレーム取っ手部分
１１b  実施例２の下側フレーム取っ手部分(１１aの対向側)
１１c  実施例２の下側フレーム補強材
１１s  実施例２の下側フレームの桟
１２  実施例２の上側フレーム
１２a  実施例２の上側フレーム取っ手部分
１２b  実施例２の上側フレーム取っ手部分（１１aの対向側）
１２c  実施例２の上側フレーム補強材
１２s  実施例２の上側フレームの桟
ア  連結具の高さを示す
イ  作用する力点を変える突起物
ウ  洗濯バサミを桟に固定するリベット 
【図１】
2007282875.tif 000003
【図２】
2007282875.tif 000004
【図３】
2007282875.tif 000005
【図４】
2007282875.tif 000006
【図５】
2007282875.tif 000007
【図６】
2007282875.tif 000008
【図７】
2007282875.tif 000009
【図８】
2007282875.tif 000010
【図９】
2007282875.tif 000011
【図１０】
2007282875.tif 000012
【図１１】
2007282875.tif 000013
【図１２】
2007282875.tif 000014
【図１３】
2007282875.tif 000015
【図１４】
2007282875.tif 000016
【図１５】
2007282875.tif 000017